(57)【要約】 【課題】  検査作業者の検査判断に格別な経験を必要とせず、検査精度の均一性をはかることができ、適確かつ迅速な検査結果が検査現場で取得可能な漏洩検査方法及び漏洩検査装置を提供する。【解決手段】  地下タンク１内の液相部Ｌに生じている暗騒音に加えて、この漏洩に基づく特有の音も液相部Ｌに配置したマイクロフォン３１によって集音し、これら暗騒音と特有の音とが合成された電気音響信号を、音響装置３２を介して、周波数解析装置３４によってその周波数成分及び音の大きさを分析し、その分析結果を印字出力又は表示出力する。【選択図】  図１
2005127918.tif 000002
【特許請求の範囲】
【請求項１】
地下に埋設されたタンクに生じた漏洩箇所の有無を検査する漏洩検査方法であって、
音を集音して電気音響信号に変換する集音変換手段を前記タンク内の液相部に配置する準備工程と、
前記タンク内を外部に対して密閉する密閉工程と、
密閉された前記タンク内を減圧する減圧工程と、
減圧保持された前記タンク内の音を前記集音変換手段で採取する採取工程と、
前記集音変換手段で採取した電気音響信号を周波数解析する周波数解析工程と、
からなることを特徴とする漏洩検査方法。
【請求項２】
前記周波数解析工程は、周波数解析装置によって前記タンク内の周波数レベル毎の音の大きさを求めて、周囲の周波数レベルに比して特有の音の大きさを有する周波数レベルの有無を判定する
ことを特徴とする請求項１記載の漏洩検査方法。
【請求項３】
地下に埋設されたタンクに生じた漏洩箇所の有無を検査する漏洩検査装置であって、
前記タンク内の液相部に配置され、該タンク内の音を集音して電気音響信号に変換する集音変換手段と、
外部に対して密閉された前記タンク内を減圧する減圧手段と、
前記集音変換手段によって採取した減圧された前記タンク内の電気音響信号を周波数解析する周波数解析手段と
を備えていることを特徴とする漏洩検査装置。
【請求項４】
前記周波数解析手段は、前記タンク内の周波数レベル毎の音の大きさを求めて、これを分析結果として印字出力又は表示出力する
ことを特徴とする請求項３記載の漏洩検査装置。
【発明の詳細な説明】
【技術分野】
【０００１】
本発明は、タンク又はタンクに接続された配管に生じた漏洩箇所を、タンク内を減圧して検査する漏洩検査方法及び漏洩検査装置に関する。
【背景技術】
【０００２】
従来、給油所（ガソリンスタンド）の地下タンク等の漏洩検査方法として、液体が貯留されたタンク内部を外部に対して気密に閉塞し、タンク内部の気体又は貯留液体の少なくとも一部をタンク外部に排出してタンク内部を減圧状態にするとともに、タンク壁部に生じた漏洩箇所を介してこの減圧状態のタンク内部へ侵入する外部空気等の侵入音を集音するためのマイクロフォンをタンク内部の気相部分又は液相部分に配置し、検査作業者がこのマイクロフォンによって集音したタンク内の音響を聴取することによってタンク壁部に生じた漏洩箇所の有無を検査する方法が知られている。
【０００３】
【特許文献１】実公平２−４５７８８号公報
【発明の開示】
【発明が解決しようとする課題】
【０００４】
しかし、上述した従来の給油所の地下タンク等の漏洩検査方法にあっては、検査作業者が漏洩箇所の有無をマイクロフォンによって集音したタンク内の音響を聴取することによって判別していたため、次のような問題点があった。
【０００５】
まず、給油所の地下タンクの場合にあっては、一般に給油所自体が比較的交通量が多い沿道に設けられているため、漏洩検査時、マイクロフォンには、車両通行の振動等によるノイズもマイクロフォンによって集音されてしまう。そのため、検査作業者は、このようなノイズも含むマイクロフォンによって集音したタンク内の音響の中から、漏洩箇所を介してタンク内部へ侵入する外部空気等の侵入音を検査対象音として聴き分けなければならないため、その検査判断は経験が必要な熟練作業になってしまっている。
【０００６】
また、検査対象となる漏洩箇所の大きさ自体が僅か（例えば、約０.３mm以下）であった場合には、漏洩箇所があっても検査作業者が異なると上述した検出対象音を聴き分けられない虞れもあり、検査精度の正確性及び均一性をはかりにくいという問題点もあった。そこで、この検査精度の正確性及び均一性をはかるために、マイクロフォンによって集音した減圧状態のタンク内の音響を録音器材を用いて記録媒体に記録して持ち帰り、専門の検査判断者によって前記外部空気等の侵入音の聴き分けを行うことも考えられるが、適確かつ迅速な検査結果が検査現場では得られないという問題点があった。
【０００７】
本発明は上記問題点を解決するためになされたものであって、検査作業者の検査判断に格別な経験を必要とせず、検査精度の均一性をはかることができ、適確かつ迅速な検査結果が検査現場で取得可能な漏洩検査方法及び漏洩検査装置を提供することを目的とする。
【課題を解決するための手段】
【０００８】
本発明の漏洩検査方法は、地下に埋設されたタンクに生じた漏洩箇所の有無を検査する漏洩検査方法であって、音を集音して電気音響信号に変換する集音変換手段を前記タンク内の液相部に配置する準備工程と、前記タンク内を外部に対して密閉する密閉工程と、密閉された前記タンク内を減圧する減圧工程と、減圧保持された前記タンク内の音を前記集音変換手段で採取する採取工程と、前記集音変換手段で採取した電気音響信号を周波数解析する周波数解析工程とからなることを特徴とする。
【０００９】
また、本発明の漏洩検査方法では、前記周波数解析工程は、周波数解析装置によって前記タンク内の周波数レベル毎の音の大きさを求めて、周囲の周波数レベルに比して特有の音の大きさを有する周波数レベルの有無を判定することを特徴とする。
【００１０】
一方、本発明の漏洩検査装置は、地下に埋設されたタンクに生じた漏洩箇所の有無を検査する漏洩検査装置であって、前記タンク内の液相部に配置され、該タンク内の音を集音して電気音響信号に変換する集音変換手段と、外部に対して密閉された前記タンク内を減圧する減圧手段と、前記集音変換手段によって採取した減圧された前記タンク内の電気音響信号を周波数解析する周波数解析手段とを備えていることを特徴とする。
【００１１】
また、本発明の漏洩検査装置では、前記周波数解析手段は、前記タンク内の周波数レベル毎の音の大きさを求めて、これを分析結果として印字出力又は表示出力することを特徴とする。
【発明の効果】
【００１２】
本発明の漏洩検査方法及び漏洩検査装置によれば、検査作業者の検査判断に格別な経験を必要とせず、検査精度の均一性をはかることができ、適確かつ迅速な検査結果が検査現場で取得可能である。
【発明を実施するための最良の形態】
【００１３】
本発明の漏洩検査方法及び漏洩検査装置の一実施の形態について、図面とともに説明する。
【００１４】
図１は、本実施の形態の漏洩検査方法及び漏洩検査装置が適用した給油所の構成図である。
図中、１は給油所の地下に埋設された検査の地下タンクである。地下タンク１には、油液２が貯留され、内部には、液相部Ｌと気相部Ｇとが形成されている。３は地下タンク１にタンクローリ車等から油液を補給するための注油管で、一端が注油口３ａとなり、他端が地下タンク１内の底部側に位置して開口している。注油口３ａは、通常、油液の補給時以外は、蓋部材４によって気密に施蓋されている。５は地下タンク１内の油液を吸上げるための吸上げ管で、一端が地下タンク１内の底部側に位置して開口し、他端が計量機６に接続されている。計量機６は、計量機本体内にポンプ及び流量計を内蔵し、地下タンク１からポンプにより吸い上げた油液を流量計によって計量し、図示せぬ給油ホース先端に設けられた給油ノズルから車両の燃料タンク等に油液を供給する構成になっている。計量機６のポンプ吸込み側の流路部分には、ポンプの吸込みヘッド圧を確保するための逆止弁７が配設されている。地下タンク１の漏洩検査時には、この逆止弁７は地下タンク１内の圧力が負圧になるため閉弁し、自動的に吸上げ管５の他端を外部に対して閉塞可能になっている。
【００１５】
８は、地下タンク１の上部に埋設された金属製又はコンクリート製の埋設ボックス（マンホールプロテクタ）で、地表に開口した開口部はマンホール蓋９によって施蓋されている。埋設ボックス８内には、検尺棒，液面計のフロート等を地下タンク１内に挿入するため挿入管１０の計量口１１が開口している。この計量口１１は、蓋部材１２'、又は当該計量口１１に装着された液面計本体によって、常時は気密に施蓋されている。
【００１６】
１３は、一端が排気口１３ａとなり、他端が地下タンク１内の上部側に連通して設けられた通気管である。通気管１３は、地下タンク１内の油蒸気を外部に逃がす。
【００１７】
なお、以上の構成は、従来技術による給油所の構成と実質的に変わることがなく、各部の構成は上記説明した構成に限る必要はない。例えば、計量機６に関しては、ポンプが計量機本体と離れて地下タンク１内の液相部Ｌに配置されたサブマージポンプ式（液中ポンプ式）の計量機、給油所高所に配置されたホース昇降ユニットから給油ノズルが昇降自在に吊下された懸垂式の計量機であっても、本発明が適用される給油所の実質的な構成については変わることはない。
【００１８】
次に、上述した給油所を例に、本実施の形態に係る漏洩検査装置の構成について説明する。
【００１９】
本実施の形態の漏洩検査装置２０は、タンク減圧ユニット２１と漏洩検出ユニット２２とから大略構成される。
【００２０】
タンク減圧ユニット２１は、本実施の形態の場合、地下タンク１内の気相部Ｇの気体を外部に排出して、地下タンク１内を減圧する構成になっている。
【００２１】
本実施の形態の漏洩検査装置２０におけるタンク減圧ユニット２１は、エジェクタ２３を備えて構成されている。エジェクタ２３の流入口は配管を介して不活性ガス（例えば、窒素ガス等）のガスボンベ２４と接続され、その配管途中には、レギュレータ２５及び開閉弁２６が配設されている。エジェクタ２３の流入口は配管を介してサイレンサ２７に接続されて外部に開放され、その配管途中には、開閉弁２８が配設されている。エジェクタ２３の吸引口は、連結配管２９を介して、通気管１３の排気口１３ａと気密に接続される。この連結配管２９の途中には、地下タンク１内の減圧状態を測定するための圧力計３０が設けられている。
【００２２】
そして、本実施例のタンク減圧ユニット２１では、連結配管２９が気密に接続された通気管１３の排気口１３ａ以外の配管部３，５，１０の開口を気密に閉塞した状態で、次のようにして地下タンク１内の減圧作業を行う。
【００２３】
まず、開閉弁２６，２８を開弁状態とし、不活性ガスをエジェクタ２３に供給する。この際、地下タンク１は排気口１３ａ以外の配管部３，５，１０の開口は閉塞されているので、気相部Ｇの油蒸気を含んだ気体は、通気管１３及び連結配管２９を介してエジェクタ２３に吸引され、不活性ガスに混合されてサイレンサ２７を介して大気中に放出される。その際、圧力計３０で地下タンク１内の減圧状態を監視し、地下タンク１内が所定の圧力値まで減圧されたときに、開閉弁２６，２８を閉弁し、気相部Ｇの空気及び油蒸気からなる気体の吸引を停止する。なお、本実施例のタンク減圧ユニット２１による減圧作業においては、地下タンク１内の気相部Ｇの油蒸気を含んだ気体が大気中に放出されることになるが、この油蒸気を含んだ気体は不活性ガスに混合されて大気中に放出されるため危険環境を生じさせることはない。
【００２４】
一方、漏洩検出ユニット２２は、マイクロフォン３１と、音響装置３２と、スピーカ３３と、周波数解析装置３４とを備えて構成されている。
【００２５】
マイクロフォン３１は、耐油性の防食構造と油中を沈むための適宜重量を備え、地下タンク１内の音を集音して電気音響信号に変換する。マイクロフォン３１からは、信号線ケーブル３５が導出され、この導出された信号線ケーブル３５は音響装置３２に接続され、音響装置３２にマイクロフォン３１により検出された電気音響信号が供給されるようになっている。マイクロフォン３１は、本実施の形態の場合、漏洩検査の実施に際して、前述した埋設ボックス８内の計量口１１から信号線ケーブル３５によって吊下された状態で挿入管１０内に挿通されて、地下タンク１内の液相部Ｌ中に配置される。信号線ケーブル３５が挿通された計量口１１は、図示せぬ密閉部材１２により気密に封止される。
【００２６】
音響装置３２は、マイクロフォン３１により検出された電気音響信号を増幅し、スピーカ３３及び周波数解析装置３４に供給する。
【００２７】
スピーカ３３は、音響装置３２から供給される増幅された電気音響信号を音に変換して出力する。なお、ここでのスピーカ３３は、通常の拡声手段としてのスピーカに限らず、ヘッドフォン等のモニタ聴取機器をも含むものである。
【００２８】
周波数解析装置３４は、音響装置３２から供給される増幅された電気音響信号の周波数分析を行い、その分析結果を印字出力又は表示出力する。
【００２９】
次に、上述した給油所を例に、本実施の形態に係る漏洩検査装置について説明する。
先ず、地下タンク１の漏洩検査の実施に当たっては、検査作業者は、タンク減圧ユニット２１と通気管１３の排気口１３ａとを連結配管２９によって接続するとともに、埋設ボックス８内の計量口１１からスピーカ３３を地下タンク１内の液相部Ｌ中に配置する。その上で、本実施の形態の場合は、前述したように注油管３の注油口３ａは蓋部材４によって既に外部に対して密閉され、吸上げ管５は逆止弁７の作動によって自動的に外部に対して密閉されるので、この計量口１１を密閉部材１２により密閉して、地下タンク１内を外部に対して密閉する。その後、減圧ユニット２１を作動して地下タンク１内を所定の圧力値まで減圧し、減圧ユニット２１の作動を停止して地下タンク１内の圧力（すなわち、気相部Ｇの圧力）をこの所定の圧力値に保持する。そして、漏洩検出ユニット２２を起動して、マイクロフォン３１により検出された電気音響信号の周波数解析装置３４による周波数分析を開始する。なお、この場合では、漏洩検出ユニット２２は、地下タンク１内を所定の圧力値に保持すると同時に起動するものとして説明したが、事前に起動しておいても何ら差し支えはない。
【００３０】
次に、地下タンク１内を所定の圧力値の減圧状態に保持した状態で、地下タンク１に漏洩箇所がある場合について、図面に基づいて説明する。
【００３１】
図２は、地下タンク内の液相部のタンク壁部に漏洩箇所がある場合の説明図である。
この地下タンク１内の液相部Ｌのタンク壁部に漏洩箇所４１がある場合、漏洩箇所４１を介して地下タンク１外部との圧力差に基づき空気が地下タンク１内の液相部Ｌに侵入する。これにより、液相部Ｌに侵入した空気は液相部Ｌで気泡となり、この時、音を発生する。この気泡が地下タンク１の内壁から離れて液相部Ｌ中を上昇する際、また、この上昇した気泡が液面に到り破裂を起こす際等に、特有の音（検出対象音）が発生する。
【００３２】
本実施の形態の漏洩検査装置２０及び漏洩検査方法によれば、この場合、マイクロフォン３１は、地下タンク１内の液相部Ｌに生じている暗騒音（検出の対象とする音以外の騒音のことで、ここでは、例えば車両通行の振動等によって、地下タンク１に異常がない場合でも発生するノイズを指す）に加えて、この漏洩に基づく特有の音も集音し、これら暗騒音と漏洩に基づく特有の音とが合成された電気音響信号を、音響装置３２に出力する。そして、この電気音響信号は、スピーカ３３から音に変換されて出力されるとともに、周波数解析装置３４によってその周波数成分及び音の大きさが分析され、その分析結果が印字出力又は表示出力される。
【００３３】
図３は、地下タンクの上部に地下水位レベルがあり、気相部のタンク壁部又は通気管あるいは挿入管の管壁部に漏洩箇所がある場合の説明図である。
【００３４】
地下タンク１の上部に地下水位レベル５０があり、気相部Ｇのタンク壁部又は通気管１３あるいは挿入管１０の管壁部に漏洩箇所４２がある場合、漏洩箇所４２を介して地下タンク１外部との圧力差に基づき地下水位レベル５０の水が地下タンク１内の気相部Ｇに侵入する。これにより、気相部Ｇに侵入した水は、漏洩箇所４２から直接又は地下タンク１の内壁面を伝わって間接的に液相部Ｌの液面に滴下する。この侵入した水が液相部Ｌの液面に滴下する際等に、特有の音（検出対象音）が発生する。
【００３５】
本実施の形態の漏洩検査装置２０及び漏洩検査方法によれば、前述の図２の場合と同様に、マイクロフォン３１は、地下タンク１内の液相部Ｌに生じている暗騒音に加えて、この漏洩に基づく特有の音も集音し、これら暗騒音と特有の音とが合成された電気音響信号が、音響装置３２を介して、スピーカ３３から音に変換されて出力されるとともに、周波数解析装置３４によってその周波数成分及び音の大きさが分析され、その分析結果が印字出力又は表示出力される。
【００３６】
検査作業者は、スピーカ３３から出力される音を聴取し、この音の中から、上述した液相部Ｌに地下タンク１の外部から侵入した空気の気泡の発生音や、上昇音又は破裂音等、また気相部Ｇに侵入した水の滴下音等といった、漏洩に基づく特有音の発生の有無を判別する。そして、検査作業者は、特有の音の発生を識別できたならば、地下タンク１又は通気管１３あるいは挿入管１０に漏洩箇所４１，４２が生じているものと判定する。
【００３７】
しかし、検査作業者は、スピーカ３３から出力される音を聴取しても、この音の中から、漏洩に基づく特有の音の発生を明確に判別することができない場合もある。このような場合は、周波数解析装置３４による分析結果に基づいて、次のようにして判別し、地下タンク１又は通気管１３あるいは挿入管１０に漏洩箇所４１，４２の有無を判定することができる。
【００３８】
図４は、実験により周波数解析装置３４による分析された特有の音の発生の有無の分析結果を表わしたＦＦＴ（Fast Fourier Transform：高速フーリエ変換）時間周波数チャートである。
【００３９】
図において、チャートのＡ区画部分の縦軸は、周波数解析装置３４に供給されるマイクロフォン３１によって集音された地下タンク１の液相部Ｌ中に伝搬している音の周波数の大きさ（周波数レベル軸、単位はKHz）を表わし、チャートのＡ区画部分の横軸は、時間経過（時間軸、単位は秒）を表わす。
【００４０】
チャートのＡ区画部分において、所定時間（サンプリング時間）毎に周波数の大きさ方向に延びる各帯状部分Ｓは、地下タンク１の液相部Ｌ中でマイクロフォン３１によって集音された周波数帯の音である。図中、各帯状部分Ｓにおける白黒濃淡は、チャートのＢ区画部分に表示された、音の大きさ（dB）の度合を光のスペクトルの周波数順（ここでは、青−青緑−緑−黄緑−黄−橙−赤の色順）のインデックスで表わした場合における、実際のチャート上の各周波数別の音の大きさ（dB）が着色されて現れている様子を示したものである。光のスペクトル順（紫−青紫−青−青緑−緑−黄緑−黄−橙−赤）のインデックスは、青色方向に向かって音の大きさ（dB）が小さくなり、赤色方向に向かって音の大きさ（dB）が大きくなっている。
【００４１】
実験は、地下タンク１内の貯留液としてガソリンを貯留し、図２に示した漏洩箇所４１に対応させて、液面下１００mmのタンク壁部に孔径０.２mmの擬似的な漏洩孔を形成し、地下タンク１内を“−４kPa”に減圧保持して行った。さらに、チャートのＡ区画部分において、時間経過の０秒から４.６秒までのＡ１区画部分は、この擬似的な漏洩孔を気密に閉塞して漏洩箇所が生じていないタンク状態を仮想し、時間経過４.６秒の段階でこの擬似的な漏洩孔の閉塞を除去して開放し、それ以降のＡ２区画部分は漏洩箇所が生じているタンク状態を仮想して行った区画部分である。
【００４２】
この結果、本実験により、Ａ１区画部分とＡ２区画部分と対照すれば明らかなように、漏洩箇所が生じているタンク状態では、漏洩箇所が生じていないタンク状態に対し、特定の周波数の音の大きさ（dB）が大きくなって変化している現象が顕在化することが判明した。これは、漏洩に基づく特有の音が液相部Ｌ中を縦波（疎密波）で伝播し、マイクロフォン３１によって集音されことに起因するものである。
【００４３】
図５は、図４中のＡ１区画部分に属する時間経過４.２秒の音の大きさの周波数特性である。
【００４４】
図６は、図４中のＡ２区画部分に属する時間経過６.２秒の音の大きさの周波数特性である。
【００４５】
図５に示す、図４中のＡ１区画部分に属する時間経過４.２秒の音の大きさの周波数特性、すなわち漏洩箇所が生じていないタンク状態の帯状部分Ｓ１の周波数特性からは、周波数全域に亘って“−６０dB〜−５０dB”の大きさの音が地下タンク１内にいわゆる暗雑音として発生してことを示している。
【００４６】
また、図６に示す、図４中のＡ２区画部分に属する時間経過６.８秒の音の大きさの周波数特性、すなわち漏洩箇所が生じているタンク状態の帯状部分Ｓ２の周波数特性からは、この場合は周波数約１.７kHz，２.２kHz，及び４.９kHz近傍の音の大きさ（dB）が“−３０dB”を超え、その両側周辺の周波数の音の大きさ（dB）に対して特異レベルとなって現れていることが理解できる。これまでの実験結果から、１.７k Hz，２.２k Hzは気泡の発生音又は上昇音、４.９k Hzは液面における破裂音と推定できる。これらの特異な周波数ピークは、タンク容量，漏洩個所の穴の大きさ，液体の種別を問わず同様の結果となる。
【００４７】
したがって、前述した漏洩検査の説明において、検査作業者は、スピーカ３３から出力される音を聴取しても、この音の中から、漏洩に基づく特有の音の発生を明確に判別することができない場合であっても、周波数解析装置３４から印字出力又は表示出力される図４乃至は図６に示したような周波数レベルに応じた音の大きさ（dB）の分析を見て、ある周波数の音の大きさ（dB）がその周辺両側の周波数の音の大きさ（dB）に対して特異レベルになっている箇所が存在しているか否かを視覚的に判別して、地下タンク１又は通気管１３あるいは挿入管１０に漏洩箇所４１，４２が有るか否かを適確かつ容易に判定することができる。
【００４８】
以上説明した如く、本実施の形態の漏洩検査方法及び漏洩検査装置は構成されるが、本発明の漏洩検査方法及び漏洩検査装置は上述した実施の形態に限るものではなく、種々の変形例が可能である。
【００４９】
例えば、本実施の形態の漏洩検査方法及び漏洩検査装置２０では、地下タンク１の減圧工程及び減圧ユニット２１は、地下タンク１内の気相部Ｇの気体を地下タンク１の外部に排出して地下タンク１内を減圧する構成にしたが、地下タンク１内の液相部Ｌの液体を地下タンク１の外部に排出して減圧状態とし、検査終了後、この排出した液体を地下タンク１に戻すように構成してもよい。
【００５０】
また、本実施の形態の漏洩検査装置２０では、漏洩検出ユニット２２は周波数解析装置３４に加えてスピーカ３３も備えている構成としたが、このスピーカ３３は省略してもよい。
【００５１】
また、本実施の形態の漏洩検査方法では、地下タンク１内の音の検出、及びマイクロフォン３１により検出された電気音響信号の周波数解析装置３４による解析を、地下タンク１内の圧力を減圧保持した期間を含む１回だけ行う構成としたが、例えば、地下タンク１を密閉して減圧する前の圧力状態に、１回目の地下タンク１内の音の検出、及びマイクロフォン３１により検出された電気音響信号の周波数解析装置３４による解析を行って、地下タンク１内の暗雑音の分析結果を取得し、地下タンク１内の圧力を減圧保持した状態で、２回目の地下タンク１内の音の検出、及びマイクロフォン３１により検出された電気音響信号の周波数解析装置３４による解析を行って、両分析結果を比較対照することにより、漏洩箇所４１，４２の有無を判定するようにしてもよい。この場合、いずれの分析の際も、マイクロフォン３１は気相部Ｇに設けられずに液相部Ｌに設けられるので、マイクロフォン３１までの液相部Ｌの音伝搬路が、気相部Ｇの音伝搬路と比較して、減圧前と減圧後とで変化が起こり難いため、上記のような比較対照が行える。この結果、検出作業者はさらに適確かつ容易に、漏洩箇所の発生の有無を判定できる。
【図面の簡単な説明】
【００５２】
【図１】本実施の形態の漏洩検査方法及び漏洩検査装置が適用した給油所の構成図である。
【図２】地下タンク内の液相部のタンク壁部に漏洩箇所がある場合の説明図である。
【図３】地下タンクの上部に地下水位レベルがあり、気相部のタンク壁部又は通気管あるいは挿入管の管壁部に漏洩箇所がある場合の説明図である。
【図４】実験により周波数解析装置３４による分析された特有の音の発生の有無の分析結果を表わしたＦＦＴ（Fast Fourier Transform：高速フーリエ変換）時間周波数チャートである。
【図５】図４中のＡ１区画部分に属する時間経過４.２秒の音の大きさの周波数特性である。
【図６】図４中のＡ２区画部分に属する時間経過６.２秒の音の大きさの周波数特性である。
【符号の説明】
【００５３】
１  地下タンク
２  油液
３  注油管
３ａ  注油口
４  蓋部材
５  吸上げ管
６  計量機
７  逆止弁
８  埋設ボックス
９  マンホール蓋
１０  挿入管
１１  計量口
１２  密閉部材
１３  通気管
２０  漏洩検査装置
２１  減圧ユニット
２２  漏洩検出ユニット
２３  エジェクタ
２４  ガスボンベ
２５  レギュレータ
２６  開閉弁
２７  サイレンサ
２８  開閉弁
２９  連結配管
３０  圧力計
３１  マイクロフォン
３２  音響装置
３３  スピーカ
３４  周波数解析装置
３５  信号線ケーブル
Ｌ  液相部
Ｇ  気相部
【図１】
2005127918.tif 000003
【図２】
2005127918.tif 000004
【図３】
2005127918.tif 000005
【図４】
2005127918.tif 000006
【図５】
2005127918.tif 000007
【図６】
2005127918.tif 000008